(57)【要約】【課題】本発明は、車両のフューエルメータ制御装置において、走行状態によって変動する燃料タンクの燃料残量の表示量を、できるだけ定常走行時の値に近づけて、より正確な燃料残量を表示することができるフューエルメータ制御装置を提供することを目的とする。【解決手段】フロートセンサ２の検出信号と、その検出信号の振幅とに基いて補正値を算出して（ステップＳ１３）、その補正値でセンサ値を補正して（ステップＳ１４）、表示目標値を決定する（ステップＳ１５）。【選択図】図４
2008082834.tif 000002
【特許請求の範囲】
【請求項１】
燃料タンク内の燃料残量を検出する燃料残量検出手段と、該燃料残量検出手段の検出信号を受けて当該検出信号の変化に基いて燃料残量を表示する燃料残量表示手段とを備えた車両のフューエルメータ制御装置において、
燃料残量の検出信号と車両の走行状態の検出信号とに基いて、前記燃料残量検出手段から求められる燃料残量表示手段の表示量を補正する補正手段を備えた
車両のフューエルメータ制御装置。
【請求項２】
前記車両の走行状態を、前記燃料残量検出手段の検出信号の振幅によって検出する
請求項１記載の車両のフューエルメータ制御装置。
【請求項３】
前記燃料タンク内の燃料残量が、燃料タンク半分近傍の所定値より多い状態では、燃料残量検出手段の検出信号から求められる燃料残量表示手段の表示量を減少補正する
請求項１又は２記載の車両のフューエルメータ制御装置。
【請求項４】
前記燃料タンク内の燃料残量が、燃料タンク半分近傍の所定値より少ない状態では、燃料残量検出手段の検出信号から求められる燃料残量表示手段の表示量を増大補正する
請求項１〜３いずれか記載の車両のフューエルメータ制御装置。
【請求項５】
車両の走行状態の変動が大きい場合には、変動が小さい場合よりも燃料残量検出手段の検出信号から求められる燃料残量表示手段の表示量の補正量を大きく設定した
請求項１〜４いずれか記載の車両のフューエルメータ制御装置。
【請求項６】
前記燃料残量表示手段における表示速度を低速化する表示速度変更手段を備えた
請求項１〜５いずれか記載の車両のフューエルメータ制御装置。
【請求項７】
燃料消費量を検出する燃料消費量検出手段を備え、
前記表示速度変更手段が、該燃料消費量検出手段からの検出信号に基いて、燃料消費量が少ない時は、多い時に対して表示速度を低速化するように構成した
請求項６記載の車両のフューエルメータ制御装置。
【発明の詳細な説明】
【技術分野】
【０００１】
この発明は、車両のフューエルメータ制御装置に関し、特に、車両の走行状態の如何に関わらずフューエルメータの表示を正確におこなうことができる車両のフューエルメータ制御装置に関する。
【背景技術】
【０００２】
従来より、車両においては、燃料タンク内の燃料残量をドライバーに認識させるため、運転席の計器類の中に、燃料残量表示計、いわゆるフューエルメータを設けている。
【０００３】
このフューエルメータは、燃料タンク内に設けたフロートセンサで燃料タンク内の燃料残量を検出し、この検出信号を制御装置内に取り込んだ後、制御装置内で表示処理された表示信号によって、所定の残量値を針等により表示するように構成されている。
【０００４】
このフューエルメータでは、フロート（浮き）を使ったフロートセンサで燃料タンク内の燃料の液面位置を検出しているため、車両の走行状態（走行時の加減速度、路面勾配等）により、実際の残量よりも多く又は少なく残量を検出するおそれがある。
【０００５】
このため、例えば、下記特許文献１に示すように、フューエルメータの表示速度を遅らせる等して、こうした表示誤差を少なくするように構成したフューエルメータ制御装置が知られている。
【特許文献１】特開２００５−３１０３０号公報
【発明の開示】
【発明が解決しようとする課題】
【０００６】
ところで、車両は、様々な走行状態に応じて前後左右方向Ｇを受ける。これに伴い、燃料タンク内の燃料もタンク内で前後左右に揺動することになる。  
このため、燃料の液面位置も大きく上下に揺動することになり、フロートセンサのフロートも上下方向に大きく移動することになる。
【０００７】
このとき、フューエルメータ制御装置では、所定回数検出した検出値の平均値等から、燃料タンク内の燃料残量の真値を推定して、フューエルメータの表示量を算出しているが、燃料残量と走行状態によっては、フロートセンサの検出値に所定の傾向が生じるため、定常走行時の値と加減速走行時の値との間にズレが生じる場合がある。
【０００８】
図６の模式図は、その所定の傾向を説明するための模式図である。この模式図は、ほぼ真四角の立方体形状の燃料タンクにおいて、フロートセンサを略中央位置に設置した場合における、フロートの上下動を表したものであり、上段が燃料残量が燃料タンク容量の約１／２より多い場合の模式図、下段が燃料残量が燃料タンク容量の約１／２より少ない場合の模式図である。
【０００９】
燃料残量が約１／２より多い場合、すなわち、燃料がタンク内エアよりも多い場合では、燃料タンクが前後方向に大きく揺動すると、エアが燃料タンクの前後位置に移動することになり、結果的に中央の液面位置が定常状態の位置より上方に上がってしまい、フロートが上方に移動してしまう。
【００１０】
これに対して、燃料残量が約１／２より多い場合、すなわち、燃料がタンク内エアよりも少ない場合では、燃料タンクが前後方向に大きく揺動すると、逆に燃料が燃料タンクの前後位置に移動することになり、中央の液面位置が定常状態の位置より下方に下がってしまい、フロートが下方に移動してしまう。
【００１１】
こうしたフロートの傾向から、図７の燃料表示特性図に示すように、（ｂ）に示す加減速走行時には、燃料残量が多い状態で（ａ）に示す定常走行時の値より表示値が多く表示されることになり、燃料残量が少ない状態で（ａ）に示す定常走行時の値よりも表示値が少なく表示されるといったズレが生じるのである。
【００１２】
このズレに対しては、前述の特許文献１のように表示速度を低くしたとしても、基礎とする検出値自体が、真値と大きなズレがあるため、フューエルメータで正確な残量表示を行なうことができず、十分には対策することができない。
【００１３】
そこで、本発明は、車両のフューエルメータ制御装置において、走行状態によって変動する燃料タンクの燃料残量の表示量を、できるだけ定常走行時の値に近づけて、より正確な燃料残量を表示することができるフューエルメータ制御装置を提供することを目的とする。
【課題を解決するための手段】
【００１４】
この発明の車両のフューエルメータ制御装置は、燃料タンク内の燃料残量を検出する燃料残量検出手段と、該燃料残量検出手段の検出信号を受けて当該検出信号の変化に基いて燃料残量を表示する燃料残量表示手段とを備えた車両のフューエルメータ制御装置において、燃料残量の検出信号と車両の走行状態の検出信号とに基いて、前記燃料残量検出手段から求められる燃料残量表示手段の表示量を補正する補正手段を備えたものである。
【００１５】
上記構成によれば、補正手段によって、燃料残量と車両の走行状態に基いて燃料残量表示手段の表示量が補正されることになる。  
このため、車両の走行状態に応じて変化する検出値と定常走行時の検出値とのズレ量を、補正によって少なくすることができ、より定常走行時の値に近い値を表示することができる。
【００１６】
なお、燃料残量表示手段であるフューエルメータは、針表示のアナログタイプであってもよいし、液晶表示のデジタルタイプであってもよい。  
また、車両の走行状態は、横Ｇセンサ、前後Ｇセンサ、勾配センサ等で検出してもよいし、舵角センサ、ペダルセンサ等による操作系のセンサから検出してもよい。
【００１７】
この発明の一実施態様においては、前記車両の走行状態を、前記燃料残量検出手段の検出信号の振幅によって検出するものである。  
上記構成によれば、車両の走行状態を、燃料タンク内の液面の変動によって検出することになる。
このため、前後Ｇセンサや横Ｇセンサ等を新たに設けることなく、燃料残量検出手段の検出信号の振幅を検出するだけで、フューエルメータの補正制御を行なうことができる。
よって、燃料残量検出手段に、走行状態を検出する検出手段としての機能も兼ねさせることで、コストを掛けることなく、燃料残量検出手段の検出値のズレ量を補正することができる。
【００１８】
この発明の一実施態様においては、前記燃料タンク内の燃料残量が、燃料タンク半分近傍の所定値より多い状態では、燃料残量検出手段の検出信号から求められる燃料残量表示手段の表示量を、減少補正するものである。  
上記構成によれば、燃料タンク内の燃料残量が多い時には、表示量が減少補正されることになる。
このため、燃料残量が多い場合に、車両の走行状態によって燃料残量の検出値が定常走行時の値よりも上昇しても、表示量を定常走行時の値により近い値にすることができる。
よって、車両の走行状態に関わらず、定常走行時の値により近い値で、燃料残量表示手段の表示を行なうことができる。
【００１９】
この発明の一実施態様においては、前記燃料タンク内の燃料残量が、燃料タンク半分近傍の所定値より少ない状態では、燃料残量検出手段の検出信号から求められる燃料残量表示手段の表示量を増大補正するものである。  
上記構成によれば、燃料タンク内の燃料残量が少ない時には、表示量が増大補正されることになる。
このため、燃料残量が少ない場合に、車両の走行状態によって燃料残量の検出値が定常走行時の値よりも降下しても、表示量を定常走行時の値により近い値にすることができる。
よって、車両の走行状態に関わらず、定常走行時の値に近い値で燃料残量表示手段の表示を行なうことができる。
【００２０】
なお、これらの補正方向については、個々の燃料タンクの形状等に応じて変更するようにしてもよい。
【００２１】
この発明の一実施態様においては、車両の走行状態の変動が大きい場合には、変動が小さい場合よりも燃料残量検出手段の検出信号から求められる燃料残量表示手段の表示量の補正量を大きく設定したものである。
【００２２】
上記構成によれば、車両の走行状態の変動量に応じて、燃料残量表示手段の表示量の補正量が変化することになる。  
このため、走行状態の変動量に応じて変化する検出値と定常走行時の値との間のズレ量を、補正量を変化させることによって、確実に少なくすることができる。  
よって、より定常走行時の値に近い値で、燃料残量表示手段の表示を行なうことができる。
なお、車両の走行状態を燃料残量検出手段の検出信号の振幅によって検出する場合には、振幅の振幅長さや振幅頻度等によって変動量を検出することになる。
【００２３】
この発明の一実施態様においては、前記燃料残量表示手段における表示速度を低速化する表示速度変更手段を備えたものである。  
上記構成によれば、表示速度変更手段で表示速度が低速化されることで、フューエルメータの針等が徐々に表示目標値に移動することになる。  
このため、フューエルメータの針等の急激な変動が抑制され、ドライバーに違和感を与えることをなくすことができる。  
よって、フューエルメータ表示の外乱の影響を少なくして、表示値の精度の向上を図ることができる。
【００２４】
この発明の一実施態様においては、燃料消費量を検出する燃料消費量検出手段を備え、前記表示速度変更手段が、該燃料消費量検出手段からの検出信号に基いて、燃料消費量が少ない時は、多い時に対して表示速度を低速化するように構成したものである。
上記構成によれば、燃料消費量が少ない時には表示速度が低速化されて、燃料消費量が多い時には高速化されるため、フューエルメータの針等は、燃料消費量が少ない時に燃料タンクの液面の変動の影響を受け難くなり、燃料消費量が多い時には燃料タンクの液面の変動をより正確に反映することになる。  
よって、燃料消費量が少ない場合には、フューエルメータの針等の変動を抑えてドライバーに違和感を与えることをなくし、また、燃料消費量が多い場合には、ドライバーに燃料残量が減少していることを早期に認識させて、ガス欠の虞を回避することができる。
【発明の効果】
【００２５】
この発明によれば、車両の走行状態に応じて変化する検出値と定常走行時の検出値とのズレ量を、補正によって少なくすることができ、より定常走行時の値に近い値を表示することができる。  
よって、車両のフューエルメータ制御装置において、走行状態によって変動する燃料タンクの燃料残量の表示量を、できるだけ定常走行時の値に近づけて、より正確な燃料残量を表示することができる。
【発明を実施するための最良の形態】
【００２６】
本発明の実施形態について、以下、図面に基づいて詳述する。  
図１は第一実施形態の車両のフューエルメータ制御装置に関するシステムブロック図である。
フューエルメータ制御装置１は、燃料タンクＴ（図２参照）内に設置されるフロートセンサ２と、フロートセンサ２からの検出信号を受けて、表示信号を算出するフューエルメータ制御ユニット３と、運転席の計器内に設置され、フューエルメータ制御ユニット３からの表示信号を受けて、燃料残量を表示するフューエルメータ本体４とを備えている。
【００２７】
また、その他に、４つの車輪速センサ５ａ、５ｂ、５ｃ、５ｄと、その車輪速センサ５ａ、５ｂ、５ｃ、５ｄからの検出信号を受けて車速を算出する車速検出ユニット６と、さらに、エンジン（図示せず）に吸入される空気量を検出するエアフローセンサ７と、エンジンの回転数を検出するエンジン回転数センサ８と、車速信号、エアフローセンサ及びエンジン回転数センサ等の検出信号を受けて燃料噴射量等を算出するエンジン制御ユニット９と、その算出された燃料噴射量によって実際にエンジンに燃料噴射を行なう燃料噴射弁１０とを備えている。
【００２８】
前述の車速検出ユニット６では、車輪速センサ５ａ、５ｂ、５ｃ、５ｄから４つの車輪の車輪速を検出し、この検出した車輪速から車速（車体速度）を算出している。例えば、４つの検出信号のうち、最大値を除く、３つの値の平均値から車速（車体速度）を算出している。
【００２９】
前述のエンジン制御ユニット９では、エアフローセンサ７、エンジン回転数センサ８等のエンジン状態を検出するセンサの検出信号に基いて燃料噴射量を算出している。
【００３０】
前述のフューエルメータ制御ユニット３には、前述のフロートセンサ２の検出信号の他に、エンジン制御ユニット９から車速と燃料噴射量が入力されるように構成している。
【００３１】
このフューエルメータ制御ユニット３では、フロートセンサ２の検出信号を取り込んで、目標値算定処理や時定数処理（表示速度処理）を行った上で、フューエルメータ本体４に表示信号として出力している。
【００３２】
ここで、時定数処理とは、車両の走行状態等によって変動する燃料タンクＴの液面位置（液位）を、外乱の影響を除いて正確に表示するために、フューエルメータ本体４の針を、直接燃料残量値（目標値）に変化させるのではなく、徐々に燃料残量値（目標値）に近づくように表示速度をおくらせる制御（いわゆる「なまし制御」）を行うことをいう。
【００３３】
なお、時定数は、燃料タンクＴの容量や燃費の違いにより適宜設定する必要があるが、例えば、燃料タンクＴの容量を６０リットル、燃費５ｋｍ／リットル、フューエルメータ本体４の針の振れ角を９０°としている場合は、時定数を３０秒／１°（針を１°移動させるのに３０秒の時間が必要）〜３０００秒／１°（針を１°移動させるのに３０００秒の時間が必要）の範囲内で、適切な値で設定することが考えられる。
【００３４】
本実施形態のフューエルメータ制御ユニット３では、この時定数のパターンを後述のように３パターンほど有しており、この３パターンの時定数を、給油や燃料消費量等によって切換えるようにしている。
【００３５】
次に、燃料タンクＴの燃料残量を検出するフロートセンサ２について説明する。図２は、フロートセンサ２を示した概略模式図である。
【００３６】
この概略模式図に示すように、フロートセンサ２は、燃料タンクＴ内の略中央位置に設置され、フロート２１とアーム２２とセンサ本体２３とで構成している。  
フロート２１は、ゴム製の円筒部材等で形成しており、燃料の液面Ｗに浮遊する状態に設置しており、燃料残量の増減に応じて、燃料タンクＴ内を上下方向に移動するように構成している。
【００３７】
アーム２２は、長尺のロッド部材で形成して、一端をフロート２１に枢着し、他端をセンサ本体２３に枢着している。センサ本体２３に枢着された回動支点２２ａを中心として上下方向に揺動するように構成している。
【００３８】
センサ本体２３は、アーム２２を軸支する共に、アーム２２の揺動位置を検出し、その検出値を検出信号として前述のフューエルメータ制御ユニット３に出力している。
【００３９】
このように、フロートセンサ２は、燃料の液面位置をフロート２１によって検出しているため、車両の走行状態によって検出値が変動することになるが、できるだけその変動を抑えるために、所定回数ごとの検出値の平均を算出したり、又は一定期間ごとの検出値の平均を連続的に算出する移動平均等の平均化処理を行っている。
【００４０】
しかし、前後Ｇや横Ｇが繰返し作用する走行状態が長期間継続するような場合には、こうした平均化処理を行っても、燃料タンクＴの燃料残量に応じてフロートセンサ２の検出値に、所定の傾向が生じることから、真値から大きく外れることになり、正確な残量表示ができないことになる。
【００４１】
この所定の傾向は、燃料タンクＴの形状等によっても変化するものの、基本的には、前述した図６の模式図に示すように、燃料タンクＴ内の燃料とエアの比率に応じて定まる。図６は、真四角の立方体形状の燃料タンクＴ内に、フロートセンサ２を略中央位置に設置した場合におけるフロート２１の動きを示した模式図である。
【００４２】
燃料残量が燃料タンク容量の１／２より多い場合（上段）には、燃料タンクＴの上部に位置するエアＫの量が燃料Ｎの量に比較して少ない。このため、前方Ｇが作用した時も後方Ｇが作用した時もいずれも、エアＫが前方又は後方に移動して、結果的に、フロート２１の位置が上方に移動することになる。
【００４３】
このように、燃料残量が多い場合には、燃料タンクＴがどのように揺動した場合でも、フロート２１が上方に移動するため、検出値を平均化処理したとしても、真値よりも燃料残量を多く検出してしまうことになる。
【００４４】
一方、燃料残量が燃料タンク容量の１／２より少ない場合（下段）には、燃料タンクＴの上部から中央に位置するエアＫの量が燃料Ｎの量に比較して多い。このため、前方Ｇが作用した時も後方Ｇが作用した時もいずれも、燃料Ｎが前方又は後方に移動して、結果的に、フロート２１の位置が下方に移動することになる。
【００４５】
このように、燃料残量が少ない場合には、燃料タンクＴがどのように揺動した場合でも、フロート２１が下方に移動するため、検出値を平均化したとしても、真値よりも燃料残量を少なく表示してしまうことになる。
【００４６】
このようなフロートセンサ２の傾向があることから、図７の燃料表示特性図に示すように、（ｂ）に示す加減速走行時の場合には、（ａ）の定常走行時の場合のように、走行距離に応じてフューエルメータ本体４の針が直線的に降下するのではなく、Ｆから１／２付近までは比較的緩やかに降下して（Ｌ１）、１／２付近からＥまでは急激に降下する（Ｌ２）ことになる。
【００４７】
この（ｂ）に示すような表示特性となることで、ドライバーには違和感を与えることになり、さらには、フューエルメータ本体４の表示量に対する信頼性を損なうおそれもある。
【００４８】
そこで、本実施形態では、以下に説明する制御フローによって、この加減速走行時の表示特性と定常走行時の表示特性のズレ量ｓを少なくして、正確な燃料残量を表示するようにしている。図３は、本実施形態の制御フローチャートである。
【００４９】
まず、ステップＳ１で、車速検出ユニット６で検出された車速、エンジン制御ユニット９で算出された燃料噴射量、それと、フロートセンサ２によって検出された燃料残量を、フューエルメータ制御ユニット３に読込む。
【００５０】
次に、ステップＳ２で給油したかを判断する。具体的には、車速が０で、前回の燃料残量と今回の燃料残量を比較して８リットル以上の増加があったかを判断する。なお、この給油判定を行なう閾値は、８リットル以下であってもよいが、フロートセンサ２が走行状態等により誤って給油と判定しない程度の値とするのが望ましい。
【００５１】
ステップＳ２でＹＥＳと判定された場合、つまり、停車中に給油がなされたとみなされる場合には、ドライバー等には、フューエルメータ本体４の針の速やかな上昇によって給油確認をしたいという要求があるため、ステップＳ３に移行して、最も表示速度の速い第１時定数を設定する。
【００５２】
一方、ステップＳ２でＮＯと判断された場合には、ステップＳ４に移行して、表示目標値の算定を行なう。具体的には、図４に示す表示目標値算定の制御フローによって、表示目標値を算定する。
【００５３】
ここで、表示目標値を算定することで、前述した定常走行時の表示特性と加減速走行時の表示特性とのズレ量ｓを少なくするようにしている。
【００５４】
図４の表示目標値算定の制御フローは、まず、ステップＳ１１で、フロートセンサ２の検出値の平均化処理を行なう。この平均化処理は、前述したように、燃料タンクＴ内の液面変動をできるだけ、フューエルメータ本体４に表示させないようにするために行う。この平均化処理によって、燃料残量のセンサ値（検出値を平均した値）を算出する。
【００５５】
次に、ステップＳ１２でフロートセンサ２の揺動量の判定処理を行なう。この揺動量判定処理では、フロートセンサ２の検出値が検出回ごとに大きく揺動（変化）しているか否かを検出して、車両の走行状態が加減速走行等であるか否かを判定する。また、その揺動量（変化の幅や、変化の頻度）も検出して、その揺動量に応じて車両の加減速度合等も判定する。
【００５６】
その次に、ステップＳ１３で補正値を算出する。この補正値の算出は、図５に示す平均値補正処理ＭＡＰによって行なう。このＭＡＰは、縦軸をフロートセンサ２の揺動量として、横軸をセンサ値として構成しており、各マス目には各値での補正値を記載している。
【００５７】
各マス目の補正値は、センサ値の１／２を中心としてＦ側（満タン側）をマイナス方向に補正し、Ｅ側（カラ側）をプラス方向に補正する値を規定しており、また、センサ値の３／４と１／４の補正値を最も大きくなるように設定している。また、揺動量の大きさに比例して補正値の絶対値が大きくなるように設定している。なお、各補正値の単位はリットルである。
【００５８】
例えば、満タン容量が６０リットルの燃料タンクＴで、センサ値が４５リットルで、揺動量が中程度と判断した場合には、６０リットルのうち４５リットルをセンサ値として算出しているため、センサ値の３／４の縦マスを選び、また、揺動量が中程度であるため、この縦マスの下から３マス目を選ぶことになる。こうした算出処理により、補正値「−４」を算定することになる。
【００５９】
その次に、ステップＳ１４でセンサ値の補正処理を行なう。このセンサ値補正処理は、算出したセンサ値に補正値を加算することによって行なう。例えば、前述の例では、センサ値の４５リットルに対して「−４」リットルの補正値を加算することで、「４１」リットルを算出する。
【００６０】
最後に、ステップＳ１５で、表示目標値を決定する。前述の例では「４１リットル」を表示目標値として決定することになる。
【００６１】
このように、表示目標値算定の制御フローでは、フロートセンサ２で検出した値（センサ値）に補正値を加算することで、表示目標値を決定している。  
この表示目標値の算出によって、定常走行時の検出値（真値）とほぼ同じ値を得ることができる。
【００６２】
この後、図３の制御フローに戻り、ステップＳ５に移行する。このステップＳ５では、燃料噴射量が設定値以下かを判定する。
【００６３】
ステップＳ５の判定でＹＥＳと判断された場合、すなわち、燃料消費量が少ないと判断される場合には、フューエルメータ本体４の表示速度を遅らせても、ドライバーに対する給油の動機付けに影響を与えることなく、また、走行状態等の外乱の影響によるフューエルメータ本体４の針の変動を抑える必要があるため、ステップＳ６に移行して、最も表示速度の遅い第２時定数を設定する。
【００６４】
また、ステップＳ５の判定でＮＯと判断された場合、すなわち、燃料消費量が多いと判断される場合には、フューエルメータ本体４の針の表示を速くして、燃料消費量の追従性を確保する必要があることから、ステップＳ７に移行して、第２時定数より応答性の高い（表示速度が速い）第３時定数を設定する。
【００６５】
そして、最終ステップであるステップＳ８で、ステップＳ３、Ｓ６、Ｓ７のいずれかのステップで設定された時定数に基いて、針が前述の表示目標値を表示するようにフューエルメータ本体４を駆動制御する。
【００６６】
なお、この制御フローでは、第二時定数と第三時定数を固定値として別々に設定しているが、時定数の値を、燃料噴射量の増大に応じてリニアに高速化するようにしてもよい。
【００６７】
次に、このように構成した本実施形態の作用効果について詳述する。  
この実施形態の車両のフューエルメータ制御装置１は、フロートセンサ２の検出信号と、その検出信号の振幅とに基いて補正値を算出して（ステップＳ１３）、その補正値でセンサ値を補正して（ステップＳ１４）、表示目標値を決定している（ステップＳ１５）。
これにより、燃料残量とその振幅に基いて、フューエルメータ本体４の表示量が補正されることになる。
このため、車両の走行状態に応じて変化する検出値と定常走行時の値とのズレ量sを、補正によって少なくすることができ、より定常走行時の値に近い値を表示することができる。
【００６８】
よって、車両のフューエルメータ制御装置において、走行状態によって変動する燃料タンクＴの燃料残量の表示量を、できるだけ定常走行時の値に近づけて、より正確な燃料残量をフューエルメータ本体４に表示させることができる。
【００６９】
なお、本実施形態では、ＭＡＰを使って補正値を算出したが、係数等を掛けてリニアに、補正値を算出してもよい。  
また、この実施形態では、車両の走行状態を、フロートセンサ２の検出信号の振幅によって検出している。
このため、前後Ｇセンサや横Ｇセンサを新たに設けることなく、フロートセンサ２の検出信号の振幅を検出するだけで、フューエルメータ制御装置１の補正制御を行なうことができる。
よって、フロートセンサ２に、走行状態を検出する検出手段としての機能も兼ねさせることで、コストを掛けることなく、フロートセンサ２のセンサ値のズレ量ｓを補正することができる。
【００７０】
なお、より正確に車両の走行状態を検出する場合には、前後Ｇセンサや横Ｇセンサを設けてもよい。
【００７１】
また、この実施形態では、燃料タンクＴ内の燃料残量が、燃料タンクＴ容量の１／２よりも多い状態で、フロートセンサ２のセンサ値を、減少補正している（図５参照）。  
これにより、燃料タンクＴ内の燃料残量が多い時には、表示量が減少補正されるため、燃料残量が多い場合に、車両の走行状態によって燃料残量の検出値が定常走行時の値より上昇しても、表示量を定常走行時の値により近い値にすることができる。  
よって、車両の走行状態に関わらず、定常走行時の値により近い値で、フューエルメータ本体４の表示を行なうことができる。
【００７２】
また、この実施形態では、燃料タンクＴ内の燃料残量が、燃料タンク容量の１／２よりも少ない状態で、フロートセンサ２のセンサ値を、増大補正している（図５参照）。  
これにより、燃料タンクＴ内の燃料残量が少ない時には、表示量が増大補正されるため、燃料残量が少ない場合に、車両の走行状態によって燃料残量の検出値が定常走行時の値より降下しても、表示量を定常走行時の値により近い値にすることができる。  
よって、車両の走行状態に関わらず、定常走行時の値に近い値で、フューエルメータ本体４の表示を行なうことができる。
【００７３】
また、この実施形態では、フロートセンサ２の検出信号の振幅が大きい場合には、振幅が小さい場合よりも、補正量を大きく設定している（図５参照）。
【００７４】
これにより、車両の走行状態の変動量に応じて変化する検出値と、定常走行時の値との間のズレ量を、補正量を変化させることによって、確実に少なくすることができる。  
よって、より定常走行時の値に近い値で、フューエルメータ本体４の表示を行なうことができる。
【００７５】
また、この実施形態では、フューエルメータ本体４の表示速度を低速化する時定数処理（ステップＳ８）を行っている。
【００７６】
これにより、フューエルメータ本体４の針が徐々に表示目標値に移動することになるため、フューエルメータ本体４の針の急激な変動が抑制され、ドライバーに違和感を与えることをなくすことができる。  
よって、フューエルメータ本体４の表示に外乱の影響を少なくして、表示の精度の向上を図ることができる。
【００７７】
また、この実施形態では、燃料消費量を算出するエンジン制御ユニット９を備え、フューエルメータ制御ユニット３は、エンジン制御ユニット９からの算出信号に基いて、燃料消費量が少ない時は、多い時に対して表示速度を低速化する時定数（第２時定数）を設定している（ステップＳ６）。  
これにより、燃料消費量が少ない時には表示速度が低速化されて（ステップＳ６）、燃料消費量が多い時には高速化される（ステップＳ７）ため、フューエルメータ本体４の針は、燃料消費量が少ない時に燃料タンクＴの液面の変動の影響を受け難くなり、燃料消費量が多い時には燃料タンクＴの液面の変動をより正確に反映することになる。  
よって、燃料消費量が少ない場合には、フューエルメータ本体４の針の変動を抑えてドライバーに違和感を与えることなく、また、燃料消費量が多い場合には、ドライバーに燃料残量が減少していることを早期に認識させて、ガス欠の虞を回避することができる。
【００７８】
なお、以上の実施形態では、フューエルメータ本体４を針表示のアナログタイプで説明したが、液晶表示のデジタルタイプのフューエルメータで、本発明を実施してもよい。
【００７９】
以上、この発明の構成と、前述の実施形態との対応において、
この発明の燃料残量検出手段は、実施形態のフロートセンサ２に対応し、
以下、同様に
燃料残量表示手段は、フューエルメータ本体４に対応し、
補正手段は、フューエルメータ制御ユニット３に対応するも
この発明は、前述の実施形態に限定されるものではなく、あらゆる車両のフューエルメータ制御装置に適用する実施形態を含むものである。
【図面の簡単な説明】
【００８０】
【図１】第一実施形態のフューエルメータ制御装置に関するシステムブロック図。
【図２】フロートセンサの概略模式図。
【図３】第一実施形態の制御フローチャート。
【図４】表示目標値算定の制御フローチャート。
【図５】平均値補正処理ＭＡＰを示した図。
【図６】フロートセンサの所定の傾向を説明する模式図。
【図７】燃料表示特性図を示した図であり、（ａ）が定常走行時の特性を示した図、（ｂ）が加減速走行時の特性を示した図。
【符号の説明】
【００８１】
１…フューエルメータ制御装置
２…フロートセンサ
３…フューエルメータ制御ユニット
４…フューエルメータ本体
【図１】
2008082834.tif 000003
【図２】
2008082834.tif 000004
【図３】
2008082834.tif 000005
【図４】
2008082834.tif 000006
【図５】
2008082834.tif 000007
【図６】
2008082834.tif 000008
【図７】
2008082834.tif 000009